(57)【要約】【課題】スニーカー等の丈の低い靴を使用する際であっても、着用したソックスが靴外から見られることはなく、かつ、着用時の足裏部全体のムレを吸収することが出来、かつ、安定した着用感の得られるソックスを得る。【解決手段】爪先部編地と足底部編地とよりなり、爪先部編地は円筒状編地の先端に袋状編地を有し、円筒状編地の他端に環状の口ゴム部分編地を有し、足底部編地は、対象形をなした２枚の台形を２枚重ねに折り返し台形編地の底辺部分を前記環状の口ゴム部分編地に一体としてなる。【選択図】図２
0003107892.tif 000002
【実用新案登録請求の範囲】
【請求項１】
爪先部編地と足底部編地とよりなり、爪先部編地は、円筒状編地の先端を袋状編地で閉鎖し、かつ、円筒状編地の他端に環状の口ゴム部分編地を有し、足底部編地は、対称形をなした２枚の台形編地を２枚重ねに折り返し、台形編地の底辺部分を前記環状の口ゴム部分編地に一体としてなるソックス。
【請求項２】
袋状編地は、トウポケットよりなる編地であること特徴とする請求項１記載のソックス。
【請求項３】
袋状編地は、縫製によりその先端が閉じられていることを特徴とする請求項１記載のソックス。
【考案の詳細な説明】
【技術分野】
【０００１】
本考案は、着用しているソックスが、靴の履口開口部から見えることがないようにしたソックスに関する。
【背景技術】
【０００２】
スニーカー，パンプス等の靴を履いたときに、ソックスは使用しているが素足と見られるようにするため、ソックスの足底から履き口までの高さが次第に浅くなっている。然し、使用者の踵部分を靴下のヒールポケット部で覆っているソックスにあってはどうしてもヒールポケットの一部が靴の外に出てソックスを使用していることが覗がい知られてしまう。
【０００３】
その為、ソックスの爪先部を覆う生地を足部生地と切り離し、爪先部の生地に紐状体を付け、帯状体を踵下部に係止することで、爪先部のみを被うものが作られたが、確かに帯状体による係止のため帯状体が靴の外部から見られることはないが、土踏まず、踵部などは直接靴底に触れるため、発汗処理等のむれ対策或るいは使用感に満足のいかないな点が生じている。
【０００４】
そこでソックスを使用しているのが見えないようにソックスの履き口を浅くするために、ヒール編成のゴアラインを工夫し、丈は短く足底側の長さを長くしたソックスを開発（特許文献１）した。然し、この例であっても、通常のソックスやスニーカーソックスに比べれば非常に踵が浅く、靴の履き口ラインと同程度にはなるが、やはり多少は外部から見えてしまう。
【０００５】
他の方法として、後から裁断縫製し、履き口を浅く広くえぐるようなソックスもあるが、手間とコストが余計にかかる。
更に爪先周辺だけをカバーする靴下（特許文献２）が知られているが、靴を履いた際に靴下は見えないものの生地の無い踵下部周辺の汗やムレを吸収することは出来なかった。  
【特許文献１】特開２００４−５２１３６号
【特許文献２】実用登録第３０８６３０８号
【考案の開示】
【考案が解決しようとする課題】
【０００６】
本考案は上記の点に鑑みて、スニーカー等の丈の低い靴を使用する際であっても、着用したソックスが靴外から見られることはなく、かつ、着用時の足裏部全体のムレを吸収することが出来、かつ、安定した着用感の得られるソックスを得ることを目的とする。
【課題を解決するための手段】
【０００７】
本発明ソックスは、爪先部編地と足底部編地とよりなり、爪先部編地は、円筒状編地の先端を袋状編地で閉鎖している。袋状編地は、トウポケットよりなる編地又は縫製によりその先端を閉じた編地である。そして、円筒状編地の他端に環状の口ゴム部分編地を有し、足底部編地は、対称形をなした２枚の台形編地を２枚重ねに折り返し、台形編地の底辺部分を前記環状の口ゴム部分編地に一体としてなる。
【考案の効果】
【０００８】
爪先部編地と足底部編地とよりなり、爪先部編地は、円筒状編地の先端を袋状編地で閉鎖し、かつ、円筒状編地の他端に環状の口ゴム部分編地を有し、足底部編地は、対称形をなした２枚の台形編地を２枚重ねに折り返し、台形の底辺部分を前記環状の口ゴム部分編地に一体としたために、スニーカー，パンプス等の足底から履口部までの高さの低い靴を履いたときでも爪先部編地は靴のトウ部分内に隠れ、足底部編地は偏平であり厚さは極めて少く、そのため靴の履口部からソックスが見えることがない。また、足底部編地は台形編地が２枚重ねに折り返されているので地厚となり、クッション性，保温性を高め得ることが出来る。足裏の湿気等の吸収量も多くムレを無くす効果を有する。
また、２枚の台形編地の一方を吸湿性の高い性質の糸で、他方を放湿性の高い性質の糸で編成しておけば足底部の吸放湿が効率良く行うことも可能となる。
【考案を実施するための最良の形態】
【０００９】
本考案の実施の１例を図面と共に説明する。図１は、本考案ソックスの着用状態を示す側面図、図２Ａは、本考案ソックスの側面図、Ｂは編成過程を示す編地の展開図である。本考案ソックス１は、爪先部編地２と足底部編地３とよりなり、丸編靴下編機で一連に編成する事が出来る。爪先部編地２は着用者の爪先４を覆う袋状編地５とそれに続く円筒状編地６、口ゴム部分編地７とよりなる。脚底部編地３は前記爪先部編地２の口ゴム部分編地７に連なり展開状態で台形をなし先端の幅の狭い舌状形状をなしている。
【００１０】
本発明ソックス１の編成は、丸編靴下編機により行なはれる。先ず口ゴム部分編地７を適宜コース数環状に全針で編成し（図２Ｂのａ）、爪先部編地２の履口部とし、その最終コースは環状には編成せず図２Ｂに示すＡ点までの編成とし、次いで、編機の回転を逆転し、Ｂ点までの区間Ｌを編成し、この区間Ｌ以外にに位置する針は、針上げを行ない、不作用位置をとらせている。そして上記往復回転による編成の編み幅は編成が進むにつれて両側の針を順次休ませることで減少し、最終巾をｌとする台形編地８を編成する。大径編地８の長さは底部編地３の長さ、即ち、踵までの長さに等しくならなければならない。ために、台形編地８の各コースの編成ごとに編み幅を縮少すると上記踵までの長さを確保する事がむずかしくなるので、半回転編成を長く維持する為に針上げ・針下げ、針上げ・針下げと、針上げコースを含める事で、台形編地８の長さを得ている。
【００１１】
また、台形編地８の編み始めのコースは、図２Ｂに示す如く幅Ｌであるが、この際の作用位置にある針は全針の約７０％であって、この針数を増加しておくことで後工程の針上げによる針の不作用位置への動きの許容数を増加して台形編地８のコース数（長さ）を増加している。
【００１２】
台形編地８の編成が、端部編地の幅ｌで終了すると不作用位置に有った針を下げ作用位置に置き、台形編地８とは逆に台形編地８と対称形になるよう網幅を増加しつつ台形編地９を編成する。上記編成の際に、コース端部において両編地は一体に編成されゴアランン１０を形成する。そして所定コースの編成が終了し編幅がＬとなったときに全針を作用位置に下げ円筒状編地６の編成に移る。このとき口ゴム部分編地７の最終コースと円筒状編地６の最初のコースとが一体に続くことになる。上記編成により台形編地８，９は２つ折りに重ねられた状態に延びることになる。
【００１３】
円筒状編地６は、丸編靴下機の回転により所定コース数筒状に編成が行なわれる。次いで、袋状編地５の編成となる。円筒状編地６の最終コース編成後、区間Ｄ（図２Ｂに図示）以外の針を針上げし不作動位置とし、区間Ｄの針によって編成を続行するが１コースの編成の都度園端部の針を休止し、編幅を少なくし全体として台形の編地１１を編成する。そして最小幅ｄまで編成すると次に各コースごとに編幅を増加し台形編地１１とは対称形の台形編地１２を編成する。両台形編地１１，１２は台形編地１２の端部編成時に一体に編みとじされゴアライン１３を作り袋状とされる。この状態で台形編地１２の最終コース１２ａと円筒状編地６の最終コースであって、台形編地１１に連なっていないコース６ａとの間に開口が生じているので。外部はリンキングその他の手段により閉鎖１４する。
【００１４】
前記第１の実施例において、袋状編地５は台形編地１１，１２をゴアライン１３で編綴し、トウポケットを形成し開口部はリンキング等で閉鎖１４し袋状としているが、第２の実施例として特にトウポケットを形成せず円筒状編地６の先端を重ねあはせた状態のもとで弧状に切断抱合することで筒状編地５の開口を閉じ袋状編地を構成する事も出来る。また、第３の実施例として、袋状編地５の爪先に指袋を形成することも出来る。この場合、前記第１の実施例の如く２つの台形編地により１つの小ポケット、例えば親指袋を作り、更に２つの台形編地によって他の４本の指袋を作るようにすれば指付のものとすることが出来る。
本考案ソックスを使用する際は、図１に示すように爪先部編地２に爪先４を挿入し底部編地３を足裏に位置させ踵１３で底部編地３を踏む状態で靴を履く。それによって、ソックス１の爪先部編地２は靴の内部に完全に隠れ、足底部編地３も足部１５により被われることになり外部からソックス１が見えることはない。
【００１５】
底部編地３は円筒状編地６と連なる部分の幅が最大となっており、着用時は脚の両側部において前記最大幅部分の編地が足部１５を両側から包む状態ともなるために、使用中に足部編地が左右にずれを生ずる自体の発生を押えて、安定した着用が可能となっている。更に口コム部編地７が適宜の緊張力によって足部１５を締め付けるので、それによってもずれ等の発生は防止されている。
【産業上の利用可能性】
【００１６】
本考案ストッキングは編成時に適宜柄糸を使用し或るいは組織的に柄を発現した編地とし、スリッパの外皮に使用する事も可能である。
【図面の簡単な説明】
【００１７】
【図１】本考案ソックスの着用状態を示す側面図。
【図２】Ａは、本考案ソックスの側面図、Ｂは、編成過程を示す編地の展開図である。
【符号の説明】
【００１８】
１  ソックス
２  爪先部編地
３  底部編地
４  爪先
５  袋状編地
６  円筒状編地
７  口ゴム部分
８，９，１１，１２  台形編地
１０，１３  ゴアライン
１４  閉鎖
１５  足部
【図１】
0003107892.tif 000003
【図２】
0003107892.tif 000004